(57)【要約】      （修正有）【課題】ペール缶用の後付けで固定する開閉可能な蓋において、一部分のみの開放も可能にするペール缶用蓋を提供する。【解決手段】後付で使用するペール缶用蓋Ｘとして、ペール缶の上面を塞ぐ形状を有し、１以上の孔又は切欠きからなる小窓が設けられた本体蓋部１０と、前記小窓を塞ぐ形状を有し、前記本体蓋部に開閉可能に固定される小窓蓋部３０と、ペール缶の胴部上方に嵌るリング部２０と、前記本体蓋部を前記ペール缶上面に開閉可能に保持するヒンジを介して、前記本体蓋部を前記リング部に固定する連結部とから構成する。【選択図】図１
0003173288.tif 000002
【実用新案登録請求の範囲】
【請求項１】
ペール缶の上面を塞ぐ形状を有し、１以上の孔又は切欠きからなる小窓が設けられた本体蓋部と、
前記小窓を塞ぐ形状を有し、前記本体蓋部に開閉可能に固定される小窓蓋部と、
ペール缶の胴部上方に嵌るリング部と、
前記本体蓋部を前記ペール缶上面に開閉可能に保持するヒンジを介して、前記本体蓋部を前記リング部に固定する連結部と
を有するペール缶用蓋。
【請求項２】
前記小窓は本体蓋部の縁部に設けられる切欠きにより形成されるものである請求項１に記載のペール缶用蓋。
【考案の詳細な説明】
【技術分野】
【０００１】
本考案はペール缶に後付けで固定する開閉可能に形成される蓋に関する。
【背景技術】
【０００２】
上面開口を開放できるペール缶には、上面開口と略同じ大きさを有する取り外し可能な蓋が設けられる。このようなペール缶の蓋は外周に爪を設け、この爪によりペール缶の上部外周縁に係合するものか、内周に溝が形成されたバンドによってペール缶上部外周縁と蓋外周とを締結することで係合するものであった。しかし、このような蓋だと開閉に手間がかかり、また、蓋を開けた後に蓋の置き場所が必要となり、作業性が悪い。
これに対して、下記特許文献には、ドラム缶や飲料缶に対して、開閉可能に形成された蓋体を後付けで固定することが示されており、上記のような問題に対応するために、ペール缶にも同様に後付でこのような蓋を固定することが考えられる。
【先行技術文献】
【特許文献】
【０００３】
【特許文献１】特開2000-62819号公報
【特許文献２】実公昭58-53059号公報
【考案の概要】
【考案が解決しようとする課題】
【０００４】
ところで、例えば、液体を入れたペール缶からポンプなどで内部の液体を吸出して散布等する場合には、ペール缶の上面をすべて開放する必要はなく、ポンプの吸込口が入る大きさのみ開口すればよい。このように、上面すべての開放のみならず、一部のみの開けばよい場合があるが、上記特許文献に記載の蓋では、このような要求に対応できない。
本考案は、このような問題に鑑みて、ペール缶用の後付けで固定する開閉可能な蓋において、一部分のみの開放も可能にすることを課題とする。
【課題を解決するための手段】
【０００５】
上記課題を解決するために、本考案は次のような構成を有する。
請求項１に記載の考案は、ペール缶の上面を塞ぐ形状を有し、１以上の孔又は切欠きからなる小窓が設けられた本体蓋部と、前記小窓を塞ぐ形状を有し、前記本体蓋部に開閉可能に固定される小窓蓋部と、ペール缶の胴部上方に嵌るリング部と、前記本体蓋部を前記ペール缶上面に開閉可能に保持するヒンジを介して、前記本体蓋部を前記リング部に固定する連結部とを有するペール缶用蓋である。
請求項２に記載の考案は、前記ペール缶用蓋において、前記小窓は本体蓋部の縁部に設けられる切欠きにより形成されるものである。
【考案の効果】
【０００６】
請求項１に記載の考案は、ペール缶に開閉可能に設けられる本体蓋部に小窓が有り、この小窓を塞ぐ小窓蓋部が開閉可能に設けられるので、ペール缶内に液体を注ぐ等の場合に、大きく開口する必要があるときは本体蓋部を開け、スプレーヤーの吸込口をペール缶に入れる等の場合に、小さく開口すれば足りる場合には小窓蓋部を開けるといったように、使用状況に応じて開口の大きさを適宜選択することができる。
請求項２に記載の考案は、小窓を本体蓋部の縁部に設けられる切欠きにより形成することで、デッキブラシなどをペール缶内に入れて運ぶような場合に、小窓蓋を開けてこの切欠きにデッキブラシなどの柄を嵌めるようにすれば、デッキブラシ等を入れたまま本体蓋部を閉めた状態とすることができる。
【図面の簡単な説明】
【０００７】
【図１】実施形態に係るペール缶用蓋の正面側の斜視図である。
【図２】実施形態に係るペール缶用蓋の背面側の斜視図である。
【図３】実施形態に係るペール缶用蓋の小窓蓋部を開けた状態を示す正面側の斜視図である。
【考案を実施するための形態】
【０００８】
以下、本考案の実施の形態について、図面を参照しながら説明する。
図１に本実施形態に係るペール缶用蓋Xの正面側の斜視図を示し、図２にペール缶用蓋Ｘの背面側の斜視図を示す。ペール缶用蓋Ｘは、本体蓋部１０と、リング部２０とを有する。
リング部２０は、帯体をリング状に形成したものである。図２に示すようにリング部２０の両端部は外側に略直角に折れ曲がって、互いに向かい合う端部接合板２１、２１を形成している。端部接合番２１、２１は略中央に貫通孔が設けられ、それぞれの貫通孔を通る蝶ネジと、これに係合するボルトからなる締結具２２により互いに連結し固定される。このように構成することでリング部２０は締結具２２の締め付け具合により内径を調整することができる。また、リング部２０の背面側には本体蓋部１０と連結するための上方に突出した舌部２３が形成されている。
【０００９】
本体蓋部１０は、リング部２０の上方に間隔を空けて設けられるものであり、外周に扁平な円筒状のスカート部１２が設けられた円板１１により形成される。スカート部１２の内径はペール缶Ｃの上部開口の外周に嵌る程度の大きさに形成される。本体蓋部１０のスカート部１２の背面側とリング部２０の舌部２３とはヒンジ２４により回動可能に連結される。即ち、舌部２３とヒンジ２４とはリング部２０と本体蓋部１０とを連結する連結部を構成する。また、本体蓋部１０の正面側のスカート部１２にパチン錠１４のフックが固定されるとともに、リング部２０のこのフックの下側に存する位置にパチン錠１４の本体部が固定される。そして、このパチン錠１４を締結することで本体蓋部１０の正面側をリング部２０に固定し、本体部１０を閉じた状態に保持することができる。
本体蓋部１０には、小窓蓋部３０が２箇所に設けられる。図３に小窓蓋部３０を開けた状態のペール缶用蓋Ｘの正面側の斜視図を示す。図に示すように、小窓蓋部３０を開けた位置に、円板１１の縁部とこれに連なるスカート部１２の一部には切欠きからなる小窓１３が設けられる。小窓１３の底面側には、半円上の切欠きが形成された下面板１３ａが設けられている。小窓蓋部３０は、円板１１とスカート部１２の切欠かれた部分に合致する形状を有しており、図１に示すように小窓蓋部３０を閉じると、この切欠きが完全に塞がれるように形成される。小窓蓋部３０は、円板１１の内側でヒンジ３１により開閉可能に円板１１に固定される。また、それぞれの小窓蓋部３０の閉じた状態におけるスカート部１２に並ぶ面には、パチン錠３２のフックが固定され、リング部２０の、このフックの下側に存する位置にパチン錠３２の本体部が固定される。そして、このパチン錠３２を締結することで、小窓蓋部３０をリング部２０に固定し、小窓蓋部３０を閉じた状態に保持することができる。
【００１０】
次に、以上のような構成を有するペール缶用蓋Ｘの使用方法について説明する。まず、使用する前にペール缶用蓋Ｘを上方の開放したペール缶Ｃに固定する。固定に際しては、リング部２０の締結具２２を緩めて、又は、締結具２２を外して、リング部２０をペール缶Ｃの胴部上方近傍に嵌める。そして、適当な位置で締結具２２を締めてリング部２０の内径を小さくすることで、ペール缶Ｃを締め付けてリング部２０を固定する。これによりペール缶用蓋Ｘのペール缶Ｃへの固定は完了する。
そして、運搬や収納に際しては、図１、２に示すように本体蓋部１０のパチン錠１４及び小窓蓋部３０のパチン錠３２を締結することで、本体蓋部１０及び小窓蓋部３０を閉じた状態とする。また、ペール缶Ｃに液体などを流し入れたり、ひしゃくなどで液体などをすくい出したり、また、後述するようにデッキブラシなどを入れたりする場合には、本体蓋部１０のパチン錠１４の締結を解いて本体蓋部１０を開け、ペール缶Ｃの上面を大きく開口させる。
一方、スプレーヤーでペール缶Ｃ内部の液体を散布するような場合には、本体蓋部１０のパチン錠１４は締結して本体蓋部１０を閉じるとともに、小窓蓋部３０のパチン錠３２を開放して小窓蓋部３０を開け、小窓１３からスプレーヤーの吸込口を差し入れる。また、作業をしていない際のスプレーヤーの散布口を、空いている側の小窓１３に差し入れることで、散布口の液だれを気にすることなく作業することができる。さらに、ペール缶Ｃ内に洗浄液を入れてデッキブラシなどでの清掃に利用する場合、清掃作業時には本体蓋部１０を開けてデッキブラシを直接ペール缶Ｃ内に入れ、運搬時などにはデッキブラシをペール缶Ｃ内に入れたまま小窓蓋部３０を開けて、切欠きからなる小窓１３にデッキブラシの柄が嵌るようにして本体蓋部１０を閉じれば、デッキブラシをペール缶Ｃに挿した状態で本体蓋部１０を閉じることができる。
このように、本実施形態に係るペール缶用蓋Ｘは、ペール缶Ｃに後付けで固定することができ、必要に応じてペール缶Ｃ上面を大きく開放したり、一部のみ小さく開放したりすることができる。また、小窓１３が切欠きにより形成されているので、デッキブラシなどの棒を差したまま、本体蓋部１０を閉じることができる。
【符号の説明】
【００１１】
Ｘ  ペール缶用蓋
１０  本体蓋部
１１  円板
１２  スカート部
１３  小窓
１４  パチン錠
２０  リング部
２１  端部接合板
２２  締結具
２３  舌部
２４  ヒンジ
３０  小窓蓋部
３２  パチン錠
【図１】
0003173288.tif 000003
【図２】
0003173288.tif 000004
【図３】
0003173288.tif 000005